(57)【特許請求の範囲】
【請求項１】
電源を供給する電池電源と、
監視エリアの物理的現象を検出して出力するセンサ部と、
警報音と警報表示により異常警報を出力する報知部と、
警報停止操作手段を備えた操作部と、
前記センサ部の検出出力による異常の有無及び前記電池電源の電圧が所定値以下に低下するローバッテリー障害を含むイベントを検出するイベント検出部と、
前記イベント検出部で検出したイベントを示すイベント信号を他の警報器へ送信する送信処理部と、
他の警報器からのイベント信号を受信する受信処理部と、
前記受信処理部で受信したイベント信号を他の警報器へ中継する中継処理部と、
前記イベント検出部で異常を検出したときに、連動元を示す異常警報を前記報知部に出力させると共に、異常を示すイベント信号を前記送信処理部に送信させ、一方、他の警報器から異常を示すイベント信号を受信したときに、連動先を示す異常警報を前記報知部に出力させる警報処理部と、
を設けた警報器に於いて、
前記送信処理部によるイベント信号の送信及び前記中継処理部によるイベント信号の中継を禁止する連動禁止フラグを初期状態でオフして格納した記憶部と、
前記イベント検出部でローバッテリー障害を検出したときに前記連動禁止フラグがオフの場合、ローバッテリー障害を示すイベント信号を前記送信処理部に送信させた後に、前記連動禁止フラグをオンして前記送信処理部による他の警報器へのイベント信号の送信及び前記中継処理部による他の警報器へのイベント信号の中継を禁止する連動禁止部と、
を設けたことを特徴とする警報器。
【請求項２】
請求項１記載の警報器に於いて、前記連動禁止部は、イベントの種別毎に連動禁止フラグを設定し、火災イベントを含む緊急イベントについては前記連動禁止フラグをオフして他の警報器へのイベント信号の送信及び中継を許容し、ローバッテリー障害を含む不急イベントについては前記連動禁止フラグをオンして他の警報器へのイベント信号の送信及び中継を禁止することを特徴とする警報器。
【請求項３】
電源を供給する電池電源と、
警戒エリアの物理的現象を検出して出力するセンサ部と、
警報音と警報表示により異常警報を出力する報知部と、
警報停止操作手段を備えた操作部と、
前記センサ部の検出出力による異常の有無及び前記電池電源の電圧が所定値以下に低下するローバッテリー障害を含むイベントを検出するイベント検出部と、
前記イベント検出部で検出したイベントを示すイベント信号を他の警報器へ送信する送信処理部と、
他の警報器からのイベント信号を受信する受信処理部と、
前記受信処理部で受信したイベント信号を他の警報器へ中継する中継処理部と、
前記イベント検出部で異常を検出したときに、連動元を示す異常警報を前記報知部に出力させると共に、異常を示すイベント信号を前記送信処理部に送信させ、一方、他の警報器から異常を示すイベント信号を受信したときに、連動先を示す異常警報を前記報知部に出力させる警報処理部と、
を設けた警報器を複数配置した警報システムに於いて、
前記警報器の各々に、
前記送信処理部によるイベント信号の送信及び前記中継処理部によるイベント信号の中継を禁止する連動禁止フラグを初期状態でオフして格納した記憶部と、
前記イベント検出部でローバッテリー障害を検出したときに前記連動禁止フラグがオフの場合、ローバッテリー障害を示すイベント信号を前記送信処理部に送信させた後に、前記連動禁止フラグをオンして前記送信処理部による他の警報器へのイベント信号の送信及び前記中継処理部による他の警報器へのイベント信号の中継を禁止する連動禁止部と、
を設けたことを特徴とする警報システム。
【請求項４】
請求項３記載の警報システムに於いて、前記警報器の連動禁止部は、イベントの種別毎に連動禁止フラグを設定し、火災イベントを含む緊急イベントについては前記連動禁止フラグをオフして他の警報器へのイベント信号の送信及び中継を許容し、ローバッテリー障害を含む不急イベントについては前記連動禁止フラグをオンして他の警報器へのイベント信号の送信及び中継を禁止することを特徴とする警報システム。
【発明の詳細な説明】
【技術分野】
【０００１】
本発明は、火災やガス漏れなどの異常を検出して警報すると共に他の警報器に信号を送信して警報を連動出力させる警報器及び警報システムに関する。
【背景技術】
【０００２】
従来、住宅における火災を検出して警報する住宅用警報器（以下「住警器」という）が普及しており、近年にあっては、複数の住警器を相互に通信させ、１つの住警器の異常情報を他の警報器でも警報できる連動型警報システム向けの無線式住警器が実用化されており、これらの中には電池電源によって動作するものがある。電池電源で動作する住警器にあっては、例えば１０年といった電池寿命を保証している。
【０００３】
無線通信を行う連動型の警報システムにあっては、ある住警器で火災を検出した場合、火災を検出した連動元の住警器は、例えば「ウーウー火災警報器が作動しました  確認してください」との音声メッセージを出力し、一方、連動先の住警器では「ウーウー別の火災警報器が作動しました  確認してください」という音声メッセージを出力するようにしている。また、連動元の住警器の表示灯は点灯とし、連動先の住警器の表示灯は点滅とし、表示灯の表示からも連動元か連動先かが区別できるようにしている。
【０００４】
このような連動警報を行うため、火災を検出した連動元の住警器は火災を示すイベント信号を他の住警器に送信しており、更に、住警器には中継機能が設けられており、イベント信号を受信して中継送信している。このようなイベント信号の送信および中継は、火災検出の他、火災復旧、警報停止、障害検出といった各種のイベントを検出したときに同様に行われる。
【０００５】
また無線通信を行う連動型の警報システムにあっては、住警器に設けた電池電源の状態を所定の時間間隔毎にチェックする自動試験機能が設けられており、障害を検出すると障害警報を出力するようにしている。この自動試験機能は、電池電源の電源電圧を例えば４時間間隔で検出して所定の閾値レベルと比較し、閾値レベルを下回った場合にローバッテリー障害と判定し、このローバッテリー障害が例えば５回連続した場合にローバッテリー障害を確定して、電池切れを知らせて電池交換を促すローバッテリー警報を出すようにしている。
【先行技術文献】
【特許文献】
【０００６】
【特許文献１】特開２００７−０９４７１９号公報
【発明の概要】
【発明が解決しようとする課題】
【０００７】
しかしながら、このような従来の連動警報を行う無線式の住警器にあっては、電池電圧が低下してローバッテリー障害が検出された場合であっても、火災検出その他各種のイベント検出に対しイベント内容を示すイベント信号を他の住警器に送信し、また他の住警器からイベント信号を受信すると、イベント内容に対応して連動先としての処理を実行すると共に、必要に応じて受信したイベント信号を中継送信しており、そのためローバッテリー障害が検出される前と同じ電力消費状態が継続し、電池電圧が短い時間で例えばＣＰＵの動作電圧以下に低下し、住警器の監視機能が失われてしまう問題がある。
【０００８】
本発明は、ローバッテリー障害が検出された後も、連動機能を縮退することで可能な限り火災などの異常監視を有効に継続可能とする警報器及び警報システムを提供することを目的とする。
【課題を解決するための手段】
【０００９】
（警報器）
本発明は、
電源を供給する電池電源と、
監視エリアの物理的現象を検出して出力するセンサ部と、
警報音と警報表示により異常警報を出力する報知部と、
警報停止操作手段を備えた操作部と、
センサ部の検出出力による異常の有無及び電池電源の電圧が所定値以下に低下するローバッテリー障害を含むイベントを検出するイベント検出部と、
イベント検出部で検出したイベントを示すイベント信号を他の警報器へ送信する送信処理部と、
他の警報器からのイベント信号を受信する受信処理部と、
受信処理部で受信したイベント信号を他の警報器へ中継する中継処理部と、
イベント検出部で異常を検出したときに、連動元を示す異常警報を報知部に出力させると共に、異常を示すイベント信号を送信処理部に送信させ、一方、他の警報器から異常を示すイベント信号を受信したときに、連動先を示す異常警報を報知部に出力させる警報処理部と、
を設けた警報器に於いて、
送信処理部によるイベント信号の送信及び中継処理部によるイベント信号の中継を禁止する連動禁止フラグを初期状態でオフして格納した記憶部と、
イベント検出部でローバッテリー障害を検出したときに連動禁止フラグがオフの場合、ローバッテリー障害を示すイベント信号を送信処理部に送信させた後に、連動禁止フラグをオンして送信処理部による他の警報器へのイベント信号の送信及び中継処理部による他の警報器へのイベント信号の中継を禁止する連動禁止部と、
を設けたことを特徴とする。
【００１１】
連動禁止部は、イベントの種別毎に連動禁止フラグを設定し、火災イベントを含む緊急イベントについては連動禁止フラグをオフして他の警報器へのイベント信号の送信及び中継を許容し、ローバッテリー障害を含む不急イベントについては連動禁止フラグをオンして他の警報器へのイベント信号の送信及び中継を禁止する。
【００１２】
（システム）
本発明は、
電源を供給する電池電源と、
警戒エリアの物理的現象を検出して出力するセンサ部と、
警報音と警報表示により異常警報を出力する報知部と、
警報停止操作手段を備えた操作部と、
センサ部の検出出力による異常の有無及び電池電源の電圧が所定値以下に低下するローバッテリー障害を含むイベントを検出するイベント検出部と、
イベント検出部で検出したイベントを示すイベント信号を他の警報器へ送信する送信処理部と、
他の警報器からのイベント信号を受信する受信処理部と、
受信処理部で受信したイベント信号を他の警報器へ中継する中継処理部と、
イベント検出部で異常を検出したときに、連動元を示す異常警報を報知部に出力させると共に、異常を示すイベント信号を送信処理部に送信させ、一方、他の警報器から異常を示すイベント信号を受信したときに、連動先を示す異常警報を報知部に出力させる警報処理部と、
を設けた警報器を複数配置した警報システムに於いて、
警報器の各々に、
送信処理部によるイベント信号の送信及び中継処理部によるイベント信号の中継を禁止する連動禁止フラグを初期状態でオフして格納した記憶部と、
イベント検出部でローバッテリー障害を検出したときに連動禁止フラグがオフの場合、ローバッテリー障害を示すイベント信号を送信処理部に送信させた後に、連動禁止フラグをオンして送信処理部による他の警報器へのイベント信号の送信及び中継処理部による他の警報器へのイベント信号の中継を禁止する連動禁止部と、
を設けたことを特徴とする。
【００１４】
各警報器の連動禁止部は、イベントの種別毎に連動禁止フラグを設定し、火災イベントを含む緊急イベントについては連動禁止フラグをオフして他の警報器へのイベント信号の送信及び中継を許容し、ローバッテリー障害を含む不急イベントについては連動禁止フラグをオンして他の警報器へのイベント信号の送信及び中継を禁止する。
【発明の効果】
【００１５】
本発明によれば、連動型の警報システムを構築している警報器において、電池電圧（電池容量）が所定値以下に低下するローバッテリー障害が検出された場合、他の警報器に対する火災検出その他各種イベントを検出しても、イベント内容を示すイベント信号の送信が禁止され、また、イベント信号を中継する処理も禁止され、これによってローバッテリー障害が検出された警報器は連動型システムから分離されてスタンドアローンの住警器として動作することとなり、連動型としての警報器動作に伴う消費電力が節減され、ローバッテリー障害が検出されても、消費電力を必要最小限に抑え、電池切れとなって完全に停止するまでの時間を充分に延ばすことができる。その結果、旅行などの不在中にローバッテリー障害となっても、帰宅するまでに電池切れで警報器が停止して監視機能が失われてしまう事態を極力回避することができる。
【００１６】
また、火災等緊急性の高い異常検出の場合だけは連動型として機能し、その他の不急のイベント検出時には連動させないようにすることで、ローバッテリー検出後の電池消耗を抑制しつつ、緊急時には連動型システムとして警報することが出来、高い防災機能を維持することが出来る。
【図面の簡単な説明】
【００１７】
【図１】住宅に対する本発明の警報システムの設置状態を示した説明図
【図２】図１の警報システムに設けた火災を検出して警報する住警器の実施形態を示したブロック図
【図３】本実施形態で使用するイベント信号のフォーマットを示した説明図
【図４】図２の実施形態における基本的な処理を示したフローチャート
【図５】図４のステップＳ３における検出イベント対応処理の詳細を示したフローチャート
【図６】図５に続く検出イベント対応処理の詳細を示したフローチャート
【図７】図４のステップＳ５における受信イベント対応処理の詳細を示したフローチャート
【図８】図７に続く受信イベント対応処理の詳細を示したフローチャート
【発明を実施するための形態】
【００１８】
図１は住宅に対する本実施形態の警報システムの設置状態を示した説明図である。図１の例にあっては、住宅１２に設けられている台所、居間、主寝室、子供部屋のそれぞれに本実施形態の、火災を検出して警報する住警器１０−１〜１０−４が設置され、更に屋外に建てられたガレージ１４にも住警器１０−５が設置されている。
【００１９】
住警器１０−１〜１０−５は、イベント信号を相互に無線により送受信する機能を備え、更に受信したイベント信号を中継する機能を備え、ガレージを含む住宅全体の火災監視を行っている。
【００２０】
いま住宅１２の子供部屋で万一、火災が発生したとすると、住警器１０−４が火災を検出して警報を開始する。この火災を検出して警報を開始することを、住警器における「発報」という。住警器１０−４が発報すると、住警器１０−４は連動元として機能し、連動先となる他の住警器１０−１〜１０−３，１０−５に対し、火災を示すイベント信号を無線により送信する。他の住警器１０−１〜１０−３，１０−５において、連動元の住警器１０−４からの火災を示すイベント信号を受信した場合に、警報音と表示により連動先としての警報動作を行う。
【００２１】
ここで連動元となった住警器１０−４の警報音としては、例えば音声メッセージにより「ウーウー  火災警報器が作動しました  確認してください」を出力する。一方、連動先の住警器１０−１〜１０−３，１０−５にあっては、「ウーウー  別の火災警報器が作動しました  確認してください」といった音声メッセージを出力する。
【００２２】
また連動元となった住警器１０−４の警報に伴う表示（以下、警報表示という）としては、後に説明するＬＥＤ５０を例えば点灯させる。一方、連動先の住警器１０−１〜１０−３，１０−５にあっては、ＬＥＤ５０を例えば点滅させる。これによって、連動元警報と連動先警報におけるＬＥＤ５０による警報表示を区別できるようにしている。
【００２３】
なお、連動元のＬＥＤ５０を点滅とし、連動先のＬＥＤ５０を点灯としても良いし、連動元警報と連動先警報のいずれについても、同じＬＥＤ５０の明滅または点滅、点灯表示であっても良い。
【００２４】
図２は本発明による住警器の実施形態を示したブロック図であり、図１に示した５台の住警器１０−１〜１０−５につき、その内の住警器１０−１について回路構成を詳細に示している。
【００２５】
住警器１０−１と他の住警器１０−２〜１０−５を結ぶ矢印はそれぞれが相互に通信することを示しているが、たとえば住警器１０−２と住警器１０−３なども相互に通信させるようにしている。もちろん、住警器１０−１をシステムの親機として、図６の矢印の経路でのみ通信するようにしたシステムでも、本発明を適用することが出来る。
【００２６】
住警器１０−１はワンチップＣＰＵとして知られたプロセッサ１８を備え、プロセッサ１８に対してはアンテナ２１を備えた無線通信部２０、記録回路部（メモリ）２２、センサ部２４、報知部２６、操作部２８及び電池電源３０を設けている。
【００２７】
無線通信部２０には送信回路３２と受信回路３４が設けられ、他の住警器１０−２〜１０−５との間でイベント信号を無線により送受信し、またイベント信号を中継できるようにしている。無線通信部２０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【００２８】
もちろん無線通信部２０としては、日本国内以外の場所については、その地域の割当無線局の標準規格に準拠した内容を持つことになる。
【００２９】
記憶部としてのメモリ２２には、イベント信号の順番を示す連続番号である連番３８、住警器を特定するＩＤ（識別子）となる送信元符号４０及び図１のように住宅に設置した住警器１０−１〜１０−５で連動警報を行う連動グループを構成するためのグループ符号４２、及びローバッテリー障害の検出により連動及び中継を禁止するためにセットされる連動禁止フラグ４５が格納されている。
【００３０】
連番３８は送信毎に順次増加する連続番号であり、警報器間の通信に於いてイベント信号の中継処理等を管理するために使用する。
【００３１】
送信元符号４０としては、国内に提供される住警器の数を予測し、例えば同一符号として重複しないように、シリアル番号等を利用した２６ビットの符号コードが使用される。
【００３２】
グループ符号４２は連動グループを構成する複数の住警器に共通に設定される符号であり、無線通信部２０で受信した他の住警器からのイベント信号に含まれるグループ符号がメモリ２２に登録しているグループ符号４２に一致したときに、このイベント信号を有効な信号として処理することになるので、近隣の住宅等に設置された、連動を要しない他グループの警報器との混信を回避出来る。
【００３３】
センサ部２４には検煙部４６が設けられ、火災による煙が所定濃度に達したときに火災を検出するようにしている。検煙部４６以外に、火災による温度を検出するサーミスタ等の温度検出素子や、火災に伴うその他の物理現象変化を検出する各種素子を設けてもよい。
【００３４】
報知部２６には警報音を出力するスピーカ４８と警報表示を行うＬＥＤ５０が設けられている。スピーカ４８は、図示しない音声合成回路部からの音声メッセージや警報音を出力する。ＬＥＤ５０は点滅や明滅、点灯などにより、火災などの異常を警報表示する。スピーカ４８に代えて、ブザー等を用いても良い。
【００３５】
操作部２８には警報停止スイッチ５２が設けられている。警報停止スイッチ５２は、報知部２６からスピーカ４８により警報音により警報を行っているときにのみ有効となる。住警器１０−１〜１０−５が警報音を出している状態で、警報停止スイッチ５２を操作すると、警報音の停止処理が行われる。ここで、本実施形態の警報音の停止処理としては次のいずれかの停止処理を行う。
【００３６】
（１）住警器１０−１〜１０−５の内、連動元以外の任意の警報停止スイッチ５２を操作すると、連動元のみが引き続き警報音を流し、連動先は警報音を停止する。一方、連動元の警報停止スイッチ５２を操作すると、連動元および連動先の全ての警報音を停止する。
【００３７】
（２）警報中の住警器１０−１〜１０−５２の内の任意の警報停止スイッチ５２を操作すると、連動先、連動元に関わらず、全ての警報音を停止する。
【００３８】
（３）前記（１）の停止処理を第１モード、前記（２）の停止処理を第２モードとし、いずれか一方のモードを選択して停止処理を行う。
【００３９】
電池電源３０は、例えば所定セル数のリチウム電池やアルカリ乾電池を使用しており、電池容量としては住警器１０−１における無線通信部２０を含む回路部全体の低消費電力化により、例えば１０年の電池寿命を保証している。
【００４０】
プロセッサ１８にはプログラムの実行により実現される機能として、イベント検出部５４、送信処理部５６、受信処理部５８、中継処理部６０、警報処理部６２及び連動禁止部６４が設けられている。
【００４１】
イベント検出部５４は、センサ部２４による異常（火災）検出、操作部２８による警報停止または点検指示、センサ部２４の異常検出がなくなる異常復旧、センサ障害、及びローバッテリー障害等のイベントを検出する。
【００４２】
ここで、イベント検出部５４はセンサ障害のイベント検出として、所定の測定時間間隔Ｔ１、例えばＴ１＝１秒間隔でセンサ部２４の検煙部４６から出力される煙濃度検出信号をＡ／Ｄ変換により読み込んでメモリ２２のバッファ領域（図示せず）に保持し、所定の時間間隔Ｔ２毎に、例えばＴ２＝１０分毎に、１０分間分の検出データの平均値を求め、この平均値が所定の基準レベルを下回ったときにセンサ部２４の障害と判定し、試験結果としてメモリ２２の試験結果記憶領域（図示せず）に記憶する。
【００４３】
なお、センサ部２４にサーミスタなどの温度検出素子を設けた場合には、その断線により検出信号の１０分間平均値が所定の断線レベルを下回ることでセンサ障害が試験結果として判定される。
【００４４】
また、イベント検出部５４はローバッテリー障害のイベント検出として、所定の測定時間間隔Ｔ３、例えばＴ３＝４時間間隔で電池電源３０の電源電圧をＡ／Ｄ変換により読み込んで所定の閾値電圧と比較し、この閾値電圧以下のときにローバッテリー障害を判定し、更にローバッテリー障害の判定結果が連続して所定回数続いたときにローバッテリー障害を確定して試験結果としてメモリ２２の試験結果記憶領域に記憶する。
【００４５】
送信処理部５６は、イベント検出部５４によりセンサ部２４による異常検出、操作部２８による警報停止または点検指示、センサ部２４の異常検出がなくなる異常復旧、センサ障害又はローバッテリー障害等自己のイベントを検出した時に、検出イベントを示すイベント信号を連動先の住警器に送信させる。受信処理部５８は、受信回路３４で受信した住警器１０−２〜１０−５からのイベント信号を解読する。
【００４６】
中継処理部６０は、連動元又は中継元の警報器からイベント信号を受信したときに、イベント信号を中継する。また、送信処理部５６は、イベント信号に送信毎に順次増加する連番３８と送信元符号４０を含めて送信しており、これを受けて中継処理部６０は、連動元又は中継元の住警器からイベント信号を受信したときに、イベント信号に含まれる連番と送信元符号の組を、メモリ２２に記憶している既に受信済みの連続番号と送信元符号の組と比較し、一致した場合は同じイベント信号は既に中継済みであることから、イベント信号の中継を終了させ、同じイベント信号を繰り返し中継しないようにしている。
【００４７】
また、中継処理部６０の機能は設定スイッチの操作やコマンドにより必要に応じて有効と無効を選択することができ、これによってイベント信号を中継する住警器と中継しない住警器を任意に決めることができる。
【００４８】
警報処理部６２は、イベント検出部５４で自己の異常として火災を検出したときにスピーカ４８から連動元を示す警報音を出力すると共に、ＬＥＤ５０を駆動して連動元を示す警報表示を行い、更に、火災を示すイベント信号を他の住警器に送信する。具体的に説明すると、警報処理部６２は、センサ部２４に設けた検煙部４６の煙検出信号からイベント検出部５４で火災を検出したときに、報知部２６のスピーカ４８から連動元を示す警報音例えば「ウーウー 火災警報器が作動しました 確認してください」を繰り返し出力させると共に、ＬＥＤ５０をたとえば点灯して連動元を示す警報表示を行い、更に、火災を示すイベント信号を無線通信部２０の送信回路３２によりアンテナ２１から他の住警器１０−２〜１０−５に向けて送信させる。
【００４９】
また警報処理部６２は、他の住警器１０−２〜１０−５のいずれかから火災を示すイベント信号を無線通信部２０の受信回路３４により受信し、受信処理部５８で有効となったときに、報知部２６のスピーカ４８から連動先を示す警報音例えば「ウーウー  別の火災警報器が作動しました  確認してください」となる警報音を繰り返し出力させ、同時にＬＥＤ５０をたとえば点滅して連動先を示す警報表示を行う。
【００５０】
また、警報処理部６２は、火災警報の出力中に操作部２８に設けた警報停止スイッチ５２の警報停止操作を検出した場合、スピーカ４８からの警報音を停止すると共にＬＥＤ５０の警報表示を停止させる。この場合、ＬＥＤ５０による警報表示については所定時間継続させても良い（消灯遅延）。
【００５１】
また警報処理部６２は、イベント検出部５４でセンサ障害を検出した場合、報知部２６のスピーカ４８からセンサ障害を示すたとえば「ピッ  故障です」を複数回連続出力し、その後は、一定時間毎に「ピッ  故障です」を複数回出力する処理を繰り返す。なお、火災警報のない状態で手警報停止スイッチ５２の操作による点検イベントを検出した場合は、「ピッ  故障です  販売店に連絡して下さい」を１回出力する。
【００５２】
更に警報処理部６２は、イベント検出部５４でローバッテリー障害を検出した場合、報知部２６のスピーカ４８からローバッテリー障害を示すたとえば「ピッ  電池切れです」を複数回連続出力し、その後は、一定時間毎に「ピッ  電池切れです」を複数回出力する処理を繰り返す。なお、火災警報のない状態で手警報停止スイッチ５２の操作による点検イベントを検出した場合は、「ピッ  電池切れです  電池を交換して下さい」を１回出力する。
【００５３】
連動禁止部６４は、イベント検出部５４でローバッテリー障害を検出した場合に、送信処理部５６による他の警報器へのイベント信号の送信を禁止するためメモリ２２の連動禁止フラグ４５をセットする。連動禁止フラグ４５がセットされると、イベント検出部５４でイベントを検出した時の送信処理部５６によるイベント信号の送信が禁止され、イベント信号の送信による無線通信部２０の電力消費を不要とし、ローバッテリー障害が検出されている電池電源３０の消耗を必要最小限に抑制し、プロセッサ１８の動作停止電圧に低下するまでの時間を可能な限り長くする。
【００５４】
また連動禁止部６４により連動禁止フラグ４５がセットされると、中継処理部６０による中継動作も禁止され、イベント信号の中継による無線通信部２０の電力消費を不要とし、ローバッテリー障害が検出されている電池電源３０の消耗を必要最小限に抑制し住警器の基本機能を維持不能となる電圧に低下するまでの時間を可能な限り長くする。
【００５５】
なお、中継処理部６０については、ローバッテリー障害を起こした住警器が場所的に離れた住警器間の信号中継を行う中継器（その住警器の中継機能が動作しなければシステム全体の連動に欠落が生じる位置づけにある住警器）として設置されている場合があり、このような場合には、中継動作が禁止されると、ローバッテリー障害を起こしていない住警器への連動が解除されることから、必要に応じて、中継器として設置している住警器の場合には、ローバッテリー障害の検出により連動禁止フラグ４５がセットされて自己のイベント検出に基づくイベント信号の送信を禁止しても、他の住警器から受信したイベント信号の中継は動作させるようにしても良い。
【００５６】
図３は本実施形態で使用するイベント信号のフォーマットを示した説明図である。図３において、イベント信号３６は連番３８、送信元符号４０、グループ符号４２及びイベント符号４４で構成されている。
【００５７】
連番３８はイベント信号の順番を示す連続番号であり、イベント信号を送信する毎に１つずつ増加させる。また、連番３８は住警器１０−１〜１０−５の各々で非同期に生成している。連番３８は警報器間の通信において図２の中継処理部６０が前述したようにイベント信号の重複した中継を回避するために使用する。
【００５８】
送信元符号４０は例えば２６ビットの符号である。グループ符号４２は例えば８ビットの符号であり、同一グループを構成する例えば図１の住警器１０−１〜１０−５につき同じグループ符号が設定されている。
【００５９】
なおグループ符号４２としては、同一グループの住警器に同一のグループ符号を設定する以外に、予め定めたグループを構成する住警器に共通な基準符号と、各住警器に固有な送信元符号との演算から求めた住警器ごとに異なるグループ符号であってもよい。
【００６０】
イベント符号４４は、火災、ガス漏れなどのイベント内容を表す符号であり、本実施形態にあっては３ビット符号を使用しており、例えば「００１」で火災、「０１０」でガス漏れ、「０１１」で復旧、「１００」で警報停止、「１０１」でセンサ障害、「１１０」でローバッテリー障害、残りをリザーブとしている。なおイベント符号４４のビット数は、イベントの種類が増加したときには更に４ビット、５ビットと増加させることで、さらに多くのイベント内容を表すことができる。
【００６１】
図４は図２の実施形態における住警器の基本的な処理を例示したフローチャートである。図４において、住警器１０−１の電池電源３０から電源供給が開始されると、ステップＳ１で初期化及び自己診断を実行し、異常がなければステップＳ２に進み、イベント検出部５４によるイベント検出の有無をチェックし、イベント検出を判別するとステップＳ３に進み、検出イベントに対応した処理を実行する。
【００６２】
続いてステップＳ４で他の住警器からのイベント信号受信の有無をチェックしており、イベント信号受信を判別するとステップＳ５に進み、受信イベントに対応した処理を実行する。
【００６３】
図５及び図６は、図４のステップＳ３における検出イベント対応処理の詳細を示したフローチャートであり、プロセッサ１８のプログラムの実行による処理となる。
【００６４】
図５において、検出イベント対応処理は、ステップＳ１１で火災発生を監視しており、センサ部２４から出力された煙検出信号が所定の火災レベルを超えると火災発生を判別してステップＳ１２に進み、ステップＳ１２でスピーカ４８からの警報音とＬＥＤ５０の点灯による警報表示とにより連動元を示す火災警報を出力する。
【００６５】
続いてステップＳ１３でメモリ２２の連動禁止フラグ４５がセットされているか否か判別し、電池電源３０が正常で連動禁止フラグ４５がリセット状態にあればステップＳ１４に進み、連番、送信元符号、グループ符号、火災を示すイベント符号を含むイベント信号を他の住警器に送信する。
【００６６】
これに対しローバッテリー障害が検出されて連動禁止フラグ４５がセット状態にあればステップＳ１４をスキップし、火災を示すイベント信号の他の住警器への送信を行わない。
【００６７】
続いて、ステップＳ１５でセンサ部２４からの煙検出信号が低下して火災状態が解消する火災復旧の有無を判別しており、火災復旧を判別するとステップＳ１６で連動元を示す火災警報を停止する。
【００６８】
続いてステップＳ１７でメモリ２２の連動禁止フラグ４５がセットされているか否か判別し、電池電源３０が正常で連動禁止フラグ４５がリセット状態にあればステップＳ１８に進み、連番、送信元符号、グループ符号、火災復旧を示すイベント符号を含むイベント信号を他の住警器に無線により送信する。
【００６９】
これに対しローバッテリー障害が検出されて連動禁止フラグ４５がセット状態にあればステップＳ１８をスキップし、火災復旧を示すイベント信号を他の住警器に送信しない。
【００７０】
続いてステップＳ１９で警報停止スイッチ５２の操作の有無を判別し、スイッチ操作が判別されるとステップＳ２０で警報中の有無を判別する。ステップＳ２０で警報中が判別されると、ステップＳ２１に進んで火災警報音出力を停止する。ステップＳ２０で警報中でないことが判別された場合はステップＳ２２に進み、所定の点検処理を行って、結果を示す点検メッセージを報知部２６のスピーカ４８から出力する。
【００７１】
続いてステップＳ２３でメモリ２２の連動禁止フラグ４５がセットされているか否か判別し、電池電源３０が正常で連動禁止フラグ４５がリセット状態にあればステップＳ２４に進み、連番、送信元符号、グループ符号、警報停止を示すイベント符号を含むイベント信号を他の住警器に送信する。
【００７２】
これに対しローバッテリー障害が検出されて連動禁止フラグ４５がセット状態にあればステップＳ２４をスキップし、警報停止を示すイベント信号の他の住警器への送信を行わない。
【００７３】
続いて、図６のステップＳ２５に進んでセンサ障害の有無を判別しており、センサ障害を判別するとステップＳ２６に進み、スピーカ４８からセンサ障害を示す警報音を出力する。
【００７４】
続いてステップＳ２７でメモリ２２の連動禁止フラグ４５がセットされているか否か判別し、電池電源３０が正常で連動禁止フラグ４５がリセット状態にあればステップＳ２８に進み、連番、送信元符号、グループ符号、センサ障害を示すイベント符号を含むイベント信号を他の住警器に送信する。
【００７５】
これに対しローバッテリー障害が検出されて連動禁止フラグ４５がセット状態にあればステップＳ２８をスキップし、センサ障害を示すイベント信号を他の住警器へ送信しない。
【００７６】
続いて、ステップＳ２９に進んでローバッテリー障害の有無を判別しており、ローバッテリー障害を判別するとステップＳ３０に進み、スピーカ４８からローバッテリー障害を示す警報音を出力する。
【００７７】
続いてステップＳ３１でメモリ２２の連動禁止フラグ４５がセットされているか否か判別し、この段階では連動禁止フラグ４５はリセット状態にあるため、ステップＳ３２に進み、連番、送信元符号、グループ符号、ローバッテリー障害を示すイベント符号を含むイベント信号を他の住警器に送信し、続いてステップＳ３３でメモリ２２の連動禁止フラグ４５をセットする。
【００７８】
このようにステップＳ３２でローバッテリー障害を示すイベント信号を送信した後にステップＳ３３で連動禁止フラグ４５をセットしているため、最初のローバッテリー障害の検出時について、他の住警器１０−２〜１０−５でローバッテリー警報を連動出力させることができ、その後のイベント検出に対し、イベント信号の送信が禁止されることになる。
【００７９】
なお、ステップＳ２９でローバッテリー障害を判別したときに連動禁止フラグ４５をセットすることで、ローバッテリー障害は連動警報としないようにすることもできる。
【００８０】
ステップＳ１３、Ｓ１７、Ｓ２３、Ｓ２７、Ｓ３１の連動禁止フラグは、それぞれ別にしても良く、そのようにすれば、イベント毎の連動禁止管理および制御が可能になる。フラグの設定はスイッチ等でユーザーが選択できるようにしても良いし、出荷時に設定しておくようにしても良い。
【００８１】
また、連動禁止フラグを緊急イベントと不急のイベントで分けて設定するようにしても良い。たとえば火災イベントに対しては連動禁止フラグをオフとし、その他比較的緊急性の低い障害等のイベントについては連動禁止フラグをオンとすることが出来る。
【００８２】
図７及び図８は図４のステップＳ５における受信イベント対応処理の詳細例を示したフローチャートであり、プロセッサ１８のプログラムの実行による処理となる。
【００８３】
図７において、ステップＳ４１で他の住警器からの火災を示すイベント信号受信の有無を判別している。他の住警器からの火災を示すイベント信号受信を判別すると、ステップＳ４２に進んで連動先を示す火災警報としてスピーカ４８からの警報音とＬＥＤ５０の点滅による警報表示を行う。
【００８４】
続いてステップＳ４３でメモリ２２の連動禁止フラグ４５がセットされているか否か判別し、電池電源３０が正常で連動禁止フラグ４５がリセット状態にあればステップＳ４４に進み、連番、送信元符号、グループ符号、火災を示すイベント符号を含むイベント信号を他の住警器に中継送信する。
【００８５】
これに対しローバッテリー障害が検出されて連動禁止フラグ４５がセット状態にあればステップＳ４４をスキップし、火災発報を示すイベント信号の他の住警器への中継送信を行わない。
【００８６】
続いて、ステップＳ４５で火災復旧のイベント信号受信の有無を判別しており、火災復旧を示すイベント信号の受信を判別するとステップＳ４６で火災警報を停止する。
【００８７】
続いてステップＳ４７でメモリ２２の連動禁止フラグ４５がセットされているか否か判別し、連動禁止フラグ４５がリセット状態にあればステップＳ４８に進み、連番、送信元符号、グループ符号、火災復旧を示すイベント符号を含むイベント信号を他の住警器に無線により中継送信する。
【００８８】
これに対しローバッテリー障害が検出されて連動禁止フラグ４５がセット状態にあればステップＳ４８をスキップし、火災復旧を示すイベント信号を他の住警器に中継送信しない。
【００８９】
続いてステップＳ４９で警報停止を示すイベント信号受信の有無を判別し、警報停止を示すイベント信号受信を判別するとステップＳ５０で警報中の有無を判別する。ステップＳ５０で警報中が判別されると、ステップＳ５１に進んで火災警報を停止する。ステップＳ５０で警報中でないことが判別された場合はステップＳ５２に進み、所定の点検処理を実施して、結果を示す点検メッセージを報知部２６のスピーカ４８から出力する。
【００９０】
続いてステップＳ５３でメモリ２２の連動禁止フラグ４５がセットされているか否か判別し、連動禁止フラグ４５がリセット状態にあればステップＳ５４に進み、連番、送信元符号、グループ符号、警報停止を示すイベント符号を含むイベント信号を他の住警器に中継送信する。
【００９１】
これに対しローバッテリー障害が検出されて連動禁止フラグ４５がセット状態にあればステップＳ５４をスキップし、警報停止を示すイベント信号の他の住警器への送信を行わない。
【００９２】
続いて、図８のステップＳ５５に進んでセンサ障害を示すイベント信号受信の有無を判別しており、センサ障害を示すイベント信号受信を判別するとステップＳ５６に進み、スピーカ４８からのセンサ障害を示す警報音を出力し、併せてＬＥＤ５０で障害警報を表示する。
【００９３】
続いてステップＳ５７でメモリ２２の連動禁止フラグ４５がセットされているか否か判別し、連動禁止フラグ４５がリセット状態にあればステップＳ５８に進み、連番、送信元符号、グループ符号、センサ障害を示すイベント符号を含むイベント信号を他の住警器に中継送信する。
【００９４】
これに対しローバッテリー障害が検出されて連動禁止フラグ４５がセット状態にあればステップＳ５８をスキップし、センサ障害を示すイベント信号を他の住警器へ送信しない。
【００９５】
続いて、ステップＳ５９に進んでローバッテリー障害を示すイベント信号受信の有無を判別しており、ローバッテリー障害を示すイベント信号受信を判別するとステップＳ６０に進み、スピーカ４８からローバッテリー障害を示す警報音を出力する。
【００９６】
続いてステップＳ６１でメモリ２２の連動禁止フラグ４５がセットされているか否か判別し、連動禁止フラグ４５のリセットを判別するとステップＳ６２に進み、連番、送信元符号、グループ符号、ローバッテリー障害を示すイベント符号を含むイベント信号を他の住警器に中継送信する。
【００９８】
これに対しステップＳ６１連動禁止フラグ４５がセット状態にあればステップＳ６２をスキップし、ローバッテリー障害を示すイベント信号を他の住警器へ送信しない。
【００９９】
ステップＳ４３、Ｓ４７、Ｓ５３、Ｓ５７、Ｓ６１の連動禁止フラグは、それぞれ別にしても良く、そのようにすれば、イベント毎の中継禁止管理および制御が可能になる。フラグの設定はスイッチ等でユーザーが選択できるようにしても良いし、出荷時に設定しておくようにしても良い。
【０１００】
また、連動禁止フラグを緊急イベントと不急のイベントで分けて設定するようにしても良い。たとえば火災イベントに対しては連動禁止フラグをオフとし、その他比較的緊急性の低い障害等のイベントについては連動禁止フラグをオンとすることが出来る。
【０１０１】
なお、上記実施形態では障害イベントの例としてセンサ障害とローバッテリー障害を挙げているが、その他各種の障害イベントについて本実施形態を適用することが出来る。
【０１０２】
また上記の実施形態は火災を検出して警報する住警器を例にとるものであったが、ガス漏れ警報器、ＣＯ警報器、各種の防犯用警報器を配置した警報システムについても同様に適用できる。
【０１０３】
また上記の実施形態におけるフローチャートは処理の概略例を説明したもので、処理の順番等はこれに限定されない。また各処理や処理と処理の間に必要に応じて遅延時間を設けたり、他の判定を挿入する等が出来る。
【０１０４】
また上記の実施形態で述べた「受信がある」、「受信が無い」、「受信した場合」、「受信を判別」等は、受信した信号が有効なものとして認識されたか否かの判定も含んでいる。
【０１０５】
また、上記の実施形態は、ローバッテリー障害を検出して連動禁止フラグをセットすることでイベント信号の送信と中継による連動を禁止して電池電源の消耗を抑制しているが、連動禁止フラグを使用せずに同じ処理を行っても良い。
【０１０６】
また、上記の実施形態は住宅用に限らずビルやオフィス用など各種用途の警報器にも適用できる。
【０１０７】
また、上記の実施形態は警報器にセンサ部と警報出力処理部を一体に設けた場合を例にとるが、他の実施形態として、センサ部と警報出力処理部を別体とした警報器であっても良い。
【０１０８】
また本発明は上記の実施形態に限定されず、その目的と利点を損なうことのない適宜の変形を含み、更に上記の実施形態に示した数値による限定は受けない。
【符号の説明】
【０１０９】
１０，１０−１〜１０−５：住警器
１２：：住宅
１４：ガレージ
１８：ＣＰＵ
２０：無線通信部
２１：アンテナ
２２：メモリ
２４：センサ部
２６：報知部
２８：操作部
３０：電池電源
３２：送信回路
３４：受信回路
３６：イベント信号
３８：連番
４０：送信元符号
４２：グループ符号
４４：イベント符号
４５：連動禁止フラグ
４６：検煙部
４８：スピーカ
５０：ＬＥＤ
５２：警報停止スイッチ
５４：イベント検出部
５６：送信処理部
５８：受信処理部
６０：中継処理部
６２：警報処理部
６４：連動禁止部
【図１】
0005443090.tif 000002
【図２】
0005443090.tif 000003
【図３】
0005443090.tif 000004
【図４】
0005443090.tif 000005
【図５】
0005443090.tif 000006
【図６】
0005443090.tif 000007
【図７】
0005443090.tif 000008
【図８】
0005443090.tif 000009